(57)【特許請求の範囲】
【請求項１】
吊り橋の主ケーブルにおけるラッピングワイヤの外周面の塗膜を剥離するラッピングワイヤの塗膜剥離方法において、
誘導加熱装置の加熱ヘッドを、ラッピングワイヤの外周面の塗膜に宛がうセット工程、
前記誘導加熱装置の電源部から加熱ヘッドに電源を供給して、誘導加熱により前記ラッピングワイヤを加熱して、当該ラッピングワイヤからの熱によって前記塗膜を軟化させる加熱軟化工程、
前記軟化箇所の塗膜を剥離する剥離工程、
誘導加熱装置の電源部を、主ケーブルの近くのハンドロープを軌条として主ケーブルの軸方向に移動させる電源移動工程、
前記電源移動後に、未剥離箇所の塗膜を、前記セット工程、加熱軟化工程、剥離工程により剥離する、
ことを特徴とする吊り橋の主ケーブルにおけるラッピングワイヤの塗膜剥離方法。
【請求項２】
請求項１記載の吊り橋の主ケーブルにおけるラッピングワイヤの塗膜剥離方法において、
誘導加熱装置の加熱ヘッドを、ラッピングワイヤの隣接する二巻き以上の箇所の塗膜表面に宛がって、前記二巻以上の箇所の被膜を加熱軟化させ、軟化した二巻以上の外周面の塗膜をシート状の塊又はその他の塊状で剥離する、
ことを特徴とする吊り橋の主ケーブルにおけるラッピングワイヤの塗膜剥離方法。
【請求項３】
請求項１又は請求項２記載の吊り橋の主ケーブルにおけるラッピングワイヤの塗膜剥離方法において、
セット工程、加熱軟化工程、剥離工程を、作業者が主ケーブルの下方及び側方の作業足場内で行う、
ことを特徴とする吊り橋の主ケーブルにおけるラッピングワイヤの塗膜剥離方法。
【請求項４】
請求項１又は請求項２記載の吊り橋の主ケーブルにおけるラッピングワイヤの塗膜剥離方法において、
セット工程、加熱軟化工程、剥離工程を、作業者が主ケーブルの下方及び側方の作業足場と、その上のカバーで囲われたトンネル状の空間内で行う、
ことを特徴とする吊り橋の主ケーブルにおけるラッピングワイヤの塗膜剥離方法。
【請求項５】
吊り橋の主ケーブルにおけるラッピングワイヤの外周面の塗膜を剥離するラッピングワイヤの塗膜剥離装置において、
誘導加熱装置と、主ケーブルの下方及び外側に設けた作業足場と、作業足場の上に設けた移動体を備え、
誘導加熱装置は電源部と、誘導コイルを有する加熱ヘッドを備え、
加熱ヘッドはラッピングワイヤ表面の塗膜に宛がうことができ、
誘導加熱装置は電源部から電磁誘導コイルに高周波電流を供給することにより、ラッピングワイヤを誘導加熱して前記塗膜を軟化させることができ、
前記移動体は電源部を搭載可能な電源搭載部を備え、主ケーブルに沿って配置されているハンドロープを軌条としてハンドロープの軸方向に人力又は動力により移動して、前記電源搭載部に搭載された電源部を主ケーブルの軸方向に移動可能である、
ことを特徴とする吊り橋の主ケーブルにおけるラッピングワイヤの塗膜剥離装置。
【請求項６】
請求項５記載の吊り橋の主ケーブルにおけるラッピングワイヤの塗膜剥離装置において、
作業足場が主ケーブル検査車のケージであり、移動体が主ケーブル検査車の駆動台車及び従動台車であり、
作業足場が前記駆動台車及び従動台車の双方又はいずれか一方に係止されて、主ケーブルの側方に吊り下げられている、
ことを特徴とする吊り橋の主ケーブルにおけるラッピングワイヤの塗膜剥離装置。
【請求項７】
請求項５記載の吊り橋の主ケーブルにおけるラッピングワイヤの塗膜剥離装置において、
作業足場の内側に、主ケーブルの外周に脱着可能な装着具を備え、装着具に加熱ヘッドを搭載可能なヘッド搭載部を備えた、
ことを特徴とする吊り橋の主ケーブルにおけるラッピングワイヤの塗膜剥離装置。
【請求項８】
請求項７記載の吊り橋の主ケーブルにおけるラッピングワイヤの塗膜剥離装置において、
ヘッド搭載部が、搭載された加熱ヘッドをラッピングワイヤの塗膜に押し付け可能な押し機構を備えた、
ことを特徴とする吊り橋の主ケーブルにおけるラッピングワイヤの塗膜剥離装置。
【請求項９】
請求項７又は請求項８記載の吊り橋の主ケーブルにおけるラッピングワイヤの塗膜剥離装置において、
ヘッド搭載部が主ケーブルの下方もしくは側方にあり、手動又は電動により主ケーブルの下半周面に沿って移動可能であり、電動の場合はリモコン操作で移動可能である、
ことを特徴とする吊り橋の主ケーブルにおけるラッピングワイヤの塗膜剥離装置。
【請求項１０】
請求項５から請求項９のいずれか１項に記載の吊り橋の主ケーブルにおけるラッピングワイヤの塗膜剥離装置において、
作業足場が上方開口の略半筒状であり、移動体が下方開口のほぼ半筒状であり、作業足場の上方開口部と移動体の下方開口部を対向させて、作業足場の上に移動体を被せると、トンネル状の作業空間を形成できる、
ことを特徴とする吊り橋の主ケーブルにおけるラッピングワイヤの塗膜剥離装置。
【発明の詳細な説明】
【技術分野】
【０００１】
本発明は、吊り橋の主ケーブルにおけるラッピングワイヤの塗膜剥離方法とラッピングワイヤの塗膜剥離装置に関する。
【背景技術】
【０００２】
一般的な吊り橋の例を図１（ａ）〜（ｃ）に示す。図１（ａ）〜（ｃ）の吊り橋は、主塔Ａ、メインケーブル（主ケーブル）Ｂ、ケーブルバンドＣ、ハンガーロープＤ、補剛桁Ｅ等を備えている。主ケーブルＢの両端はアンカレッジと呼ばれるケーブル定着部を備えたコンクリートの塊体（図示しない）に固定されることが多い。主ケーブルＢの両側方にはハンドロープ支柱Ｆ（図１（ｃ））が立設され、夫々のハンドロープ支柱Ｆの上にハンドロープＧが互いに平行に且つ主ケーブルＢの軸方向に配線されている。ハンドロープＧは主ケーブルＢの上で作業する作業者Ｈが手で握って安全を確保することができる。
【０００３】
主ケーブルＢは図２（ａ）（ｂ）に示すように、多数本の亜鉛メッキで被覆された鋼線（素線）Ｊが端面形状円形に収束され、その外側にペースト等の下地材Ｋが塗布され、その外周に亜鉛メッキで被覆されたラッピングワイヤＬが螺旋状に巻かれ、ラッピングワイヤＬの外周に塗料が塗装されて塗膜Ｍが形成されている。
【０００４】
前記塗膜Ｍは、主ケーブルＢのメンテナンスや塗り替え等に際して剥離することがある。従来、前記塗膜Ｍを剥離する工法として、グラインダーやカップブラシ等の動力工具を用いて塗装を削り取る工法（特許文献１）、剥離剤を塗布する化学的な工法（特許文献２）、高周波誘導加熱により塗膜を剥離する工法（特許文献３及び４）、サンドブラスト等で塗膜を削り取る工法等が提案されている。
【先行技術文献】
【特許文献】
【０００５】
【特許文献１】特開２０１１−０５６３３３号公報
【特許文献２】特許第３９８５９６６号公報
【特許文献３】米国特許第７８５７９１４号公報
【特許文献４】特開２０１４−０１４９３３号公報
【発明の概要】
【発明が解決しようとする課題】
【０００６】
前記動力工具を用いて表面を切削する工法では、塗装の下のラッピングワイヤの表面を傷つけてしまうおそれがある、作業時に粉塵が発生する、動力工具で騒音が発生する、ラッピングワイヤＬの隣接巻線間の凹部（溝）の塗膜を剥離しにくい等の難点がある。剥離剤を用いる工法では、剥離剤の反応速度が外気温の影響を受ける、剥離剤が毒性及び可燃性を有する、剥離剤を繰り返し塗布しなければならず、除去までの塗布回数を把握しにくい、剥離剤がいったん主ケーブルの中へ吸収されて、再塗装の際にそれが現れ塗膜を溶解する可能性がある等の難点がある。高周波誘導加熱による工法では、一般に高周波誘導加熱装置の電源部がウインチで吊り上げなければならないほど重いため従来の作業足場に積載することができず、また電源部と加熱ヘッドの距離を大幅に延長すること（例えば１００ｍ程度）が技術的に困難であるため、高所にある主ケーブルＢの剥離作業がしにくいという難点がある。ブラスト工法では、塗装剥離時に切削粉が生じるため飛散防止対策が必要である、作業員に高度な粉塵対策が要求される、飛散防止のために作業足場の周囲を密閉すると、作業足場が風を受けて不安定になり、作業しにくくなる等の難点がある。
【０００７】
本発明は前記課題に鑑みてなされたものであり、その解決課題は、振動や騒音が発生せず、切削粉の飛散もなく、ラッピングワイヤの隣接巻線間の凹部の塗装も剥離し易くしたラッピングワイヤの塗膜剥離方法と、その剥離に使用する塗膜剥離装置を提供することにある。
【課題を解決するための手段】
【０００８】
本発明の吊り橋の主ケーブルにおけるラッピングワイヤの塗膜剥離方法は、吊り橋の主ケーブルにおけるラッピングワイヤの外周面の塗膜を剥離する方法において、誘導加熱装置（Induction Heating：ＩＨ）の加熱ヘッドをラッピングワイヤの塗膜に宛がい、被覆された亜鉛メッキを損傷させることなく加熱ヘッドの誘導コイル（通常、加熱コイルとも呼ばれている。）による誘導加熱でラッピングワイヤを加熱して、当該ラッピングワイヤの塗膜を軟化させ、軟化させた塗膜をシート状の塊又はその他の塊状で剥離する方法である。前記誘導加熱装置は高周波誘導加熱装置が適するが、本発明の前記課題を解決可能であれば低周波誘導加熱装置であってもよい。
【０００９】
本発明の塗膜剥離方法では、誘導加熱装置の電源部を橋桁上や地上など高低差があり距離の離れた場所に据え置くのではなく、主ケーブルの近くのハンドロープを軌条として主ケーブルの軸方向に移動させて新たな箇所の塗膜に加熱ヘッドを宛がい、その箇所の塗膜を誘導加熱により加熱軟化させ、軟化した塗膜を塊状で剥離し、以降、塗膜の前記剥離、加熱ヘッドの誘導加熱による塗膜の軟化、剥離を繰り返して、ラッピングワイヤの所望領域の塗膜を剥離することができる。
【００１０】
本発明の塗膜剥離方法では、加熱ヘッドを、隣接する二巻以上のラッピングワイヤの凹部に跨がせて宛がって、その二巻以上の箇所の塗膜を加熱軟化させて、軟化した塗膜をシート状の塊或いは飛散しないような状態にして剥離することもできる。
【００１１】
本発明の塗膜剥離装置は、吊り橋の主ケーブルにおけるラッピングワイヤの塗膜を剥離する装置であり、電源部と加熱ヘッドを備えた誘導加熱装置と、作業足場と、移動体を備え、作業足場は少なくとも主ケーブルの下方及び側方を囲って配置され、移動体は少なくとも前記電源部を搭載可能な電源搭載部を備え、吊り橋のハンドロープの外周を囲って作業足場の上に配置され、そのハンドロープを軌条として主ケーブルの軸方向に移動可能なものである。
【００１２】
本発明の塗膜剥離装置は、前記作業足場が主ケーブル検査車のケージであり、前記移動体が主ケーブル検査車の駆動台車及び従動台車であり、作業足場が前記駆動台車及び従動台車の双方又はいずれか一方に係止されて、主ケーブルの下方及び側方に吊り下げられたものであってもよい。
【００１３】
本発明の塗膜剥離装置は、作業足場の内側に、主ケーブルの外周に脱着可能な装着具を備え、装着具に加熱ヘッドを搭載可能なヘッド搭載部を備えたものであってもよい。ヘッド搭載部は、それに搭載された加熱ヘッドを主ケーブルのラッピングワイヤの塗膜に接触可能に押し付け機構を備えたものであってもよい。
【発明の効果】
【００１４】
本発明の塗膜剥離方法は次の効果を奏する。
（１）塗膜が誘導加熱で加熱軟化されて熱膨張してラッピングワイヤへの付着力が劣化（低下）し、塗膜がラッピングワイヤから分離したり、場合によってはラッピングワイヤから浮き上がったりして剥がれ易くなる。このため剥離残りが生じにくく、剥離時にラッピングワイヤの表面に傷が付かず、剥離後の錆の発生、強度劣化がない。
（２）軟化した塗膜を塊或いはシート状の塊（図３）にして剥離できるため、剥離時に粉塵が発生せず、作業環境が悪化しにくい。
（３）剥離に動力工具を使用しないので振動や騒音が発生しない。
（４）加熱温度が剥離に必要な適切温度内であり、下地材から有害な物質を発生せず、被覆された亜鉛メッキに損傷を与えない温度以下（約２５０℃以下）であれば、塗膜の溶解や燃焼による有害気体の発生がない。
（５）騒音発生、粉塵飛散等の心配がないため、通気性のある作業足場で剥離作業ができ、良好な作業環境で作業できる。
【００１５】
本発明の塗膜剥離装置は次の効果を奏する。
（１）誘導加熱装置が高周波誘導加熱方式であって、数十ｋｇもの重い電源部を備える場合であっても、その電源部を、ハンドロープを軌条として主ケーブルの軸方向に移動可能な移動体に搭載して移動できるので、電源部の移動が容易になり、剥離作業もし易くなる。
（２）作業足場、移動体に、既存の主ケーブル検査車を利用すれば、塗膜剥離装置の製作が容易である。
（３）塗膜剥離装置を新規に製作するにしても、既存の主ケーブル検査車に搭載可能な程度の規模に小型化でき、塗膜剥離装置の構築が容易であり、高所に構築しても風の影響を受けにくく、安定し、高所作業がし易くなる。
（４）作業時の塗膜片の飛散防止のための防護工は主ケーブルに沿って移動する形式なので、主ケーブルへの負担が少なく防護工の組み払らしが容易に行えるので経済的である。
【図面の簡単な説明】
【００１６】
【図１】（ａ）は一般的な吊り橋の部分側面図、（ｂ）は吊り橋の主ケーブル及びハンドロープの付近の側面説明図、（ｃ）は（ｂ）の正面図。
【図２】（ａ）は一般的な吊り橋の主ケーブルの斜視図、（ｂ）は主ケーブルの部分断面図。
【図３】シート状剥離片の一例を示す説明図。
【図４】本発明の塗膜剥離装置の使用の一例を示す説明図。
【図５】本発明における高周波誘導加熱装置の一例の一部説明図。
【図６】（ａ）は本発明における高周波誘導加熱装置の分解説明図、（ｂ）は高周波誘導加熱装置のヘッド側電極の一例の説明図。
【図７】本発明における高周波誘導加熱装置の冷媒経路の説明図。
【図８】本発明の塗膜剥離装置の一例であり、（ａ）は側面図、（ｂ）は正面図、（ｃ）は平面図。
【図９】本発明の塗膜剥離装置におけるハンドロープ挟着機構であり、（ａ）は車輪を開いた状態の正面図、（ｂ）は車輪を閉じた状態の正面図、（ｃ）は車輪を閉じてフックを係止した状態の側面図、（ｄ）は側面図。
【図１０】本発明の塗膜剥離装置の他例を示すものであり，（ａ）は全体の側面説明図、（ｂ）は（ａ）の詳細図、（ｃ）は（ｂ）のケージ部分の正面図。
【図１１】本発明の塗膜剥離装置の他例を示す斜視図。
【図１２】図１１の塗膜剥離装置における支持部の斜視図。
【図１３】図１１のヘッド搭載部の斜視図。
【図１４】図１１のヘッド搭載部の正面図。
【発明を実施するための形態】
【００１７】
（塗膜剥離方法の実施形態）
［吊り橋］
本発明の吊り橋の主ケーブルにおけるラッピングワイヤの塗膜剥離方法（以下「塗膜剥離方法」という。）は、各種形状、構造の吊り橋の主ケーブルの塗膜剥離に使用することができるが、以下の説明では、図１（ａ）〜（ｃ）に示す既存の吊り橋を一例として説明する。本発明における誘導加熱方式（電磁誘導加熱方式）は高周波誘導加熱方式でも低周波摺動加熱方式でも使用可能であるが、以下の実施形態では高周波誘導加熱装置の場合を一例として説明する。本発明における冷却方式は水冷、空冷、その他の冷媒による冷却のいずれのも方式であってもよいが、以下の実施形態では水冷方式の場合を一例として説明する。
【００１８】
［塗膜剥離方法］
本発明の塗膜剥離方法は、図４に示すように、高周波誘導加熱装置１を使用してラッピングワイヤＬを誘導加熱し、その加熱で塗膜Ｍを軟化させて、塗膜Ｍを図３のようなシート状の塊又は図示しない他の形状の塊或いは飛散しないような状態で剥離する方法である。
【００１９】
［高周波誘導加熱装置］
本発明では、既存の或いは新規の高周波誘導加熱装置を使用することができるが、一例として図４〜図７に示す高周波誘導加熱装置１は、高周波電源部（電源部）２と、加熱ヘッド３を備えている。加熱ヘッド３は図５に示すようにケース４内に誘導コイル５を備えている。誘導コイル５は電源部２から高周波電流が供給されるように電源部２と電気ケーブルで接続されている。
【００２０】
本発明の塗膜剥離方法は、この高周波誘導加熱装置１を使用して、次の工程により、塗膜Ｍを剥離することができる。
【００２１】
［セット工程］
図４に示すように、高周波誘導加熱装置１の加熱ヘッド３を主ケーブルＢのラッピングワイヤＬの外周面の塗膜Ｍに宛がう。加熱ヘッド３をラッピングワイヤＬの隣接する二巻（ターン）以上の巻線部の凹部（窪み）Ｎ（図２（ｂ））に跨がせて宛がう（セットする）ことができる。
【００２２】
［軟化工程］
前記加熱ヘッド３の誘導コイル５に電源部２から高周波電流を供給して、高周波誘導加熱によりラッピングワイヤＬを加熱する。塗膜Ｍは加熱ヘッド３を一箇所に２〜３秒程度連続して宛がうと剥離できる程度まで軟化する。塗膜Ｍが下地材（例えば、錆止め層）Ｋから浮き上がる程度に軟化させる。
【００２３】
加熱温度は塗膜Ｍが軟化し易く、下地材Ｋ（図２（ａ）（ｂ））から有害な物質が生じない温度かつ、ラッピングワイヤを被覆する亜鉛メッキに損傷を与えない温度以下となることが望ましい。例えば、塗膜Ｍがエポキシ樹脂系の塗料の場合は、１００℃以上２５０℃未満、特に、１５０℃〜２００℃程度が適する。加熱温度が２５０℃を超えると過加熱になって塗膜Ｍから有害成分が発生するおそれがあり、１００℃未満だと加熱不足により塗膜Ｍの剥離が不十分になるおそれがある。これら数値は一例であり、塗装の種類や作業現場の雰囲気温度、湿度、天候等の各種状況に応じて、最適な条件を選択することができる。
【００２４】
加熱ヘッド３は宛がった箇所の塗膜Ｍが軟化したら、ラッピングワイヤＬの巻き方向と、主ケーブルＢの軸方向に移動させて宛がう箇所を変えて軟化範囲を広げる。
【００２５】
［剥離工程］
前記のように軟化させた又は浮き上がるほど軟化させた塗膜Ｍに、剥離治具を差し込んで（押込んで）塗膜Ｍを剥離する。剥離治具には既存のカワスキやスクレーパなどを使用することができる。この場合、下地材Ｋは残してその上の塗膜Ｍを剥離する。図３のようにラッピングワイヤＬの凹部Ｎ（図２（ｂ））を含む二巻以上の広さのシート状の塊又は図示しない他の形状の塊或いは飛散しないような状態にして剥離することができる。剥離後のラッピングワイヤＬの表面には若干の塗膜Ｍが残ることがあるが、残った塗膜Ｍは前記剥離治具で掻きとって除去するのが望ましい。
【００２６】
［高周波誘導加熱装置の詳細］
誘導加熱は既存の技術であり、被加熱物（本発明ではラッピングワイヤ）の直近に非接触状態で配置された誘導コイルに交流電流を流すと交番磁束が発生し、その交番磁束が被加熱物を通過することで被加熱物に誘導電流（渦電流）が発生し、その渦電流が被加熱物固有の抵抗値により消費される電力（ジュール熱）により被加熱物が自己発熱することである。誘導加熱方式には、５０Ｈｚ／６０Ｈｚの商用電源（交流電流）をそのまま使用する低周波誘導加熱と、５０Ｈｚ／６０Ｈｚの交流電流を２０ｋＨｚ／１００ｋＨｚの高周波電流に変換して使用する高周波誘導加熱とがある。
【００２７】
本発明で使用する高周波誘導加熱装置１は図７に示すように、インバータ方式や他の方式の高周波発振器６、ハンディー式の変流器（通常「整合用トランス」ともいう。）ＣＴ（Current Transformer）、加熱ヘッド３、冷却用の循環装置７を備えている。インバータ或いは高周波発振器６は誘導加熱に適した周波数の高周波信号（電流）を発振するものである。変流器ＣＴは高周波発振器６から発振される高周波電流を加熱ヘッド３の誘導コイル５（図６（ａ））に供給するのに適した電流に変換するものである。循環装置７は冷却板８−変流器ＣＴ−加熱ヘッド３の経路で冷媒を循環させてそれら機器を冷却するものである。高周波発振器６には汎用の高周波発振器を、変流器ＣＴには産業用ＩＨに汎用の変流器を、循環装置７には汎用の冷媒循環装置を使用することができる。変流器ＣＴは高所での現場作業での利便性の面から携行可能なハンディー式の変流器ＣＴが好ましい。
【００２８】
［電源部］
本発明では、前記高周波発振器６、変流器ＣＴ、循環装置７をまとめて電源部２というが、電源部２は必要に応じてこれら以外の電源関連機器を含むこともあり、前記高周波発振器６以外の一部の機器が除かれる場合もある。
【００２９】
高周波発振器６と変流器ＣＴの連結には電源ケーブル９が、循環装置７−冷却板８−変流器ＣＴ−加熱ヘッド３−循環装置７の連結にはホース１０が使用されている。電源ケーブル９、ホース１０は蛇腹式の保護ホース（連結具）１１（図５）内に収容されている。連結具１１には蛇腹式その他の可撓性のあるホースを使用することができる。
【００３０】
連結具１１（図６（ａ））の先端には、電源側連結具１２がある。電源側連結具１２は二つの金属ブロック１３を備えている。それぞれの金属ブロック１３の上面には凸部１４が突設されており、金属ブロック１３の先端面には半円盤状の二枚の給電電極１５が取り付けられている。給電電極１５は肉厚の銅板であり、ほぼ中央部に冷媒通孔１６が貫通され、冷媒通孔１６の上下に止め孔１７が開口されている。冷媒通孔１６の端面には漏洩防止パッキン１８が嵌合されている。漏洩防止パッキン１８はゴム、樹脂等の弾性材で成型されている。給電電極１５は銅以外の金属製であってもよい。一方の金属ブロック１３の側面には作業者が作業時に握るハンドル１９（図５、図６（ａ））が設けられている。
【００３１】
［加熱ヘッド］
図６に示すように、加熱ヘッド３は、誘導コイル５がケース４内に収容配置され、誘導コイル５の両端部５ａ（図６（ａ））がケース４から外に引き出され、夫々の端部５ａに半円盤状のコイル側電極２０（図６（ａ）（ｂ））が連結されている。誘導コイル５は図６（ａ）に示すように一本の金属パイプが平面視横長リング状に曲げ加工されており、その内部空間を通路として冷却媒体が循環できるようにしてある。誘導コイル５の外周面には絶縁処理が施されている。二枚のコイル側電極２０（図６（ｂ））の夫々には冷媒通孔２１と止め孔２２が貫通されている。それらコイル側電極２０は加熱ヘッド３のケース４の背面に設けたヘッド側連結具２３（図６（ａ））に取り付けられている。
【００３２】
図６（ａ）に示すヘッド側連結具２３は金属製であり、凹部２４を備えた平面視コ字状である。この凹部２４を二つの金属ブロック１３（図６（ａ））の凸部１４の外側に被せ、止め具３０により金属ブロック１３に固定してある。このヘッド側連結具２３にはセンサ取付け具２６（図５、図６（ａ））が取付けられている。センサ取付け具２６には取付け孔２７（図６（ａ））が開口されており、その取付け孔２７に温度センサ２８（図５）を差し込んで固定してある。温度センサ２８には汎用の非接触式の温度センサを使用することができる。温度センサ２８は非接触式であるため、図４のように、加熱ヘッド３をラッピングワイヤＬの塗膜Ｍに宛がったときに、当該塗膜Ｍに接近はするが接触はしないように設けてある。
【００３３】
［電源部と加熱ヘッドとの連結］
電源部２と加熱ヘッド３（図４、図５）は、図６（ａ）の給電電極１５とコイル側電極２０を突き合わせて、給電電極１５の冷媒通孔１６とコイル側電極２０の冷媒通孔２１を連通させ、図５のように二つの金属ブロック１３の凸部１４の外側にヘッド側連結具２３の凹部２４を被せ、ヘッド連結具２４の上から金属ブロック１３の固定孔２９（図６（ａ））に止め具３０（図５）をねじ込んで、加熱ヘッド３を電源部２側と連結してある。
【００３４】
前記温度センサ２８（図５）には電気ケーブルが配線されており、その一端側が増幅器（図示せず）に接続されて、温度センサ２８の検知電流（電圧）を増幅できるようにしてある。電気ケーブルはフレキシブル管３１内に挿通してある。
【００３５】
［高周波誘導加熱］
前記した電源部２から発振される高周波電流を、変流器ＣＴ−給電電極１５（図６（ａ））−コイル側電極２０（図６（ａ））−誘電コイル５の経路で通電すると、加熱ヘッド３が宛がわれているラッピングワイヤＬ（図４）が磁性体であるがゆえ高周波誘導加熱により加熱される。この加熱によりラッピングワイヤＬの外周の塗膜Ｍ（図４）が軟化し、熱膨張してラッピングワイヤＬへの接着力が弱まって剥離し易くなる。加熱時に、図７に示す循環装置７−供給側のホース１０−冷却板８−変流器ＣＴ−加熱ヘッド３の誘導コイル５−戻り側のホース１０−循環装置７の経路で冷媒を循環させると、前記冷却板８及び誘導コイル５が冷却されて過加熱されない。
【００３６】
図示は省略するが、前記高周波誘導加熱装置１には制御盤を設けることができる。制御盤には電源をＯＮ−ＯＦＦする電源スイッチ、給電電流を調整可能な出力コントローラ、加熱オフ時間を設定するタイマ、加熱時の電力強度を表示するパワーメータ、温度センサで感知されたラッピングワイヤ（ワーク）Ｌの温度を表示するワーク温度表示器、白金測温体（図７）で計測された冷媒温度を表示する冷媒温度表示器、加熱中に点灯する加熱中表示灯、異常発生時に高周波電流の通電を停止させる緊急停止スイッチ、異常発生時に警報を発生させるアラームスイッチ、警報をリセットするリセットスイッチ等の機器を設けて、高周波誘導加熱装置１の可動条件の設定し、異常発生の自動報知、自動停止等が行われるようすることができる。制御盤は手動で或いはリモコンで遠隔操作することもできる。リモコンで遠隔操作できる場合は、剥離作業をする作業者ＨがラッピングワイヤＬを剥離作業しながら（高所に居ながら）加熱条件の設定、変更、その他必要な操作を行うことができる。
【００３７】
前記高周波誘導加熱装置１は一例であり、本発明では、他の構成の高周波誘導加熱装置を用いて塗膜剥離することもできる。
【００３８】
前記した塗膜剥離方法は、以下に説明する実施形態の塗膜剥離装置を使用して行うこともできるが、他の塗膜剥離装置を使用して行うこともできる。
【００３９】
（塗膜剥離装置の実施形態１）
本発明の塗膜剥離装置は、吊り橋の主ケーブルＢのラッピングワイヤＬの外周の塗膜Ｍの剥離に用いる装置である。一例として図８（ａ）〜（ｃ）に示す塗膜剥離装置３３は作業足場３４と移動体３５を備えており、移動体３５の内側の電源搭載部３６（図８（ａ））に電源部２が搭載されている。作業足場３４と移動体３５は共に吊り橋の主ケーブルＢ及びハンドロープＧの軸方向に長くなっており、作業足場３４の上に移動体３５を被せると、図８（ｂ）のように、主ケーブルＢ及びハンドロープＧの外周を囲うトンネル状になるようにしてある。トンネル状とする理由は、剥離作業時の塗膜片の飛散防止のためである。
【００４０】
［作業足場］
図８（ａ）（ｂ）の作業足場３４は、主ケーブルＢの下方及び両側方（主ケーブルＢの周囲のほぼ下半分）を囲うものであり、主ケーブルＢの軸方向に多数配置された上方開口のコ字形（上向き門型）の足場フレーム３７の周囲をシート、メッシュ、板材等のカバー３８で被覆して、主ケーブルＢの軸方向に長い上方開口の半角筒状にしてある。この足場フレーム３７及びカバー３８の内側にはラッピングワイヤＬの外周の塗膜Ｍを剥離作業する作業者Ｈが移動できる広さの作業スペースが確保されている。作業足場３４の底面には金網３９が設置されており、作業足場３４の底面及び側面の外側に落下防止ネット４０が張られている。
【００４１】
［移動体］
図８（ａ）〜（ｃ）に示す移動体３５は主ケーブルＢの周囲のほぼ上半分を囲うものであり、主ケーブルＢの軸方向に間隔をあけて多数配置された下方開口のコ字形（下向き門型）の移動フレーム４１の内側をシート、メッシュ、板材等のカバー（養生カバー）４２で被覆して、主ケーブルＢの軸方向に長い下方開口の半楕円筒状にしてある。
【００４２】
［電源搭載部］
図８（ａ）（ｂ）の移動体３５の内側の電源搭載部３６は、移動体３５の天井４３の幅方向左右両側から下方に突設した支柱４４と、両支柱４４間に連結した支持材４５で囲まれて形成されている。電源搭載部３６は電源部２を搭載可能な広さとしてある。左右の支柱４４は二本のハンドロープＧの間隔と同じ又は略同じ間隔で設けてある。支柱４４、支持材４５には角パイプや角棒、丸パイプや丸棒、或いは板材等を用いることができる。
【００４３】
電源部２に接続される変流器ＣＴ、循環装置７、その他の電源関連機器は、電源部２として前記電源搭載部３６に搭載することもできるが、移動体３５の内側に電源搭載部３６とは別に補助搭載部を設けて、それに電源部２以外の機器を搭載することもできる。電源搭載部３６に搭載された電源部２には地上の電源から電源ケーブルにより給電することができる。循環装置７を電源搭載部３６に搭載したときは、地上もしくは補剛桁Ｅからホースにより冷媒を供給することができる。
【００４４】
［移動体の移動機構］
移動体３５はハンドロープＧを軌条としてその上を主ケーブルＢの軸方向に移動できるようにしてある。そのため、図９（ａ）〜（ｃ）に示すように、支柱４４の下部に二つの車輪（溝付き車輪）４６を一組として上下に配置し、上下一組の車輪４６でハンドロープＧを挟むことができるようにしてある。
【００４５】
前記一組の車輪４６は連結具４７（図９（ａ））で上下に連結されており、下の車輪４６は（図９（ａ））のように右側（外側）に開き、左側（内側）に閉じることができるようにしてある。外側に開くとハンドロープＧの挟着を開放でき、内側に閉じるとハンドロープＧを挟着できるようにしてある。内側に閉じたときは、フック４８（図９（ｃ））をピン４９に係止して、下の車輪４６が外側に開かず、フック４８をピン４９から外すと外側に開くようにしてある。
【００４６】
図９（ｂ）（ｃ）のように上下一組の車輪４６でハンドロープＧを挟んだ移動体３５（図８（ｂ））は、ロープ、ワイヤ、その他の係止具５０（図８（ａ））で図示しない牽引具に連結されている。牽引具には例えばウインチとかその他の牽引具を使用することができる。牽引具で係止具５０を牽引すると、移動体３５はハンドロープＧを軌条（レール）として、ハンドロープＧの軸方向（主ケーブルＢの軸方向）に引き上げられる。牽引を解除するとハンドロープＧを軌条として下方に移動する（降下する）ようにしてある。本発明では全ての車輪４６を上下一組にしなくてもよく、例えば図９（ｄ）に示すように、二つの車輪を上下一組にしたものと一つの車輪を組合せて使用することもできる。
【００４７】
［実施形態１の塗膜剥離装置の使用方法］
図８（ａ）〜（ｃ）の塗膜剥離装置を使用する場合は、作業足場３４に加熱ヘッド３を用意し、移動体３５の電源搭載部３６に電源部２を搭載し、図４のように加熱ヘッド３と電源部２を電源ケーブル、冷却パイプ等で連結して、電源部２から加熱ヘッド３に高周波電流を供給して主ケーブルＢのラッピングワイヤＬを誘導加熱して塗膜Ｍを軟化させて剥離することができる。このとき、加熱ヘッド３を剥離の所望箇所に宛がい、ラッピングワイヤＬの巻き方向と軸方向に移動させて、所望箇所に宛がって、それら箇所の塗膜Ｍを剥離することができる。加熱ヘッド３をラッピングワイヤＬの巻き方向と軸方向に移動させるときは、移動体３５をラッピングワイヤＬの軸方向に移動させる。
【００４８】
（塗膜剥離装置の実施形態２）
本発明の塗膜剥離装置の第二の例を、図１０（ａ）〜（ｃ）を参照して説明する。図１０（ａ）〜（ｃ）に示す塗装剥離装置３３は、既存の牽引車５１とケージ（籠）５２を使用し、牽引車５１に電源搭載部を設け、その電源搭載部に電源部２を搭載し、ケージ５２を作業足場として使用し、牽引車５１がハンドロープＧを軌条として移動すると、ケージ５２がハンドロープＧの軸方向に移動するものである。
【００４９】
［牽引車：電源搭載部］
牽引車５１は移動方向先方の駆動台車５３と後方の従動台車５４に分かれており、駆動台車５３がハンドロープＧを軌条として主ケーブルＢの軸方向に移動すると、従動台車５４がハンドロープＧを軌条として同方向に追随移動するようにしてある。この実施形態では駆動台車５３に電源部２を搭載できる電源搭載部を設け、その電源搭載部に電源部２を搭載できるようにしてある。この牽引車５１には既存の主ケーブル検査用車両の牽引車を使用することができる。
【００５０】
［ケージ：作業足場］
ケージ５２は図１０（ｃ）に示すように、二つの一対のケージ部材５５を備え、両ケージ部材５５が従動台車５４から主ケーブルＢの左右両側まで吊り下げられており、従動台車５４の移動に伴って同方動に移動可能としてある。夫々のケージ部材５５は作業者Ｈが載って作業することのできる広さの作業スペースを備えている。このケージ５２にも既存の主ケーブル検査用車両のケージを使用することができる。
【００５１】
［実施形態２の塗膜剥離装置の使用方法］
図１０（ａ）〜（ｃ）の塗膜剥離装置を使用する場合は、図１０（ａ）〜（ｃ）の作業足場（ケージ）５２に加熱ヘッド３を用意し、牽引車５１の電源搭載部に電源部２を搭載し、この加熱ヘッド３と電源部２を図４のように電源ケーブル、冷却パイプ等で連結して、電源部２から加熱ヘッド３に高周波電流を供給して主ケーブルＢのラッピングワイヤＬを誘導加熱して塗膜Ｍを軟化させて剥離することができる。このとき、加熱ヘッド３を剥離の所望箇所に宛がい、ラッピングワイヤＬの巻き方向と軸方向に移動させて、所望箇所に宛がって、それら箇所の塗膜Ｍを剥離することができる。加熱ヘッド３をラッピングワイヤＬの巻き方向と軸方向に移動させるときは、牽引車５１をラッピングワイヤＬの軸方向に移動させる。
【００５２】
（塗膜剥離装置の実施形態３）
本発明の塗膜剥離装置の第三の例を図１１に示す。この塗装剥離装置３３は主ケーブルＢの外周に脱着可能な装着具５６と、加熱ヘッド３を搭載可能なヘッド搭載部５７と、作業足場５８と、移動体５９を備えている。
【００５３】
［装着具］
装着具５６は図１２に示すように、リング状の二つの巻き具６０が、平行な二本のガイドバー６１で連結されており、二本のガイドバー６１間にヘッド搭載部５７を設けてある。
【００５４】
前記二つの巻き具６０は同じ構造であり、略半円リング状の二つのリング６２を上下に対向配置し、両リング６２の連結部６３をボルト、ナット等の止め具で連結固定してリング状にしてある。二つのリング６２の夫々にはネジ６４がねじ込まれており。これらネジ６４を主ケーブルＢの外周に突き当たるまでねじ込むと、二つのリング６２を主ケーブルＢの外周の上下に固定でき、ネジ６４を緩めると、主ケーブルＢへの二つのリング６２の固定が緩んで両リング６２を主ケーブルＢの軸方向にスライドさせることができる。所望の移動位置でネジ６４を主ケーブルＢに突き当たるまでねじ込むと、両リング６２を主ケーブルＢに固定できるようにしてある。前記二本のガイドバー６１は丸パイプ、丸棒等の長尺材であり、両リング６２の連結部６３間に架設されている。
【００５５】
前記ヘッド搭載部５７は加熱ヘッド３を搭載可能なものであり、二本のガイドバー６１間に略半円状の二本の支持ケーブル６６を主ケーブルＢの下方まで吊り下げ、両支持ケーブル６６の上に台車６７を設け、その台車６７の上に加熱ヘッド３を搭載固定できるようにしてある。台車６７はその車輪６８を二本の支持ケーブル６６の上に載せて、両支持ケーブル６６の軸方向に往復移動できるようにしてあり、この往復移動により、加熱ヘッド３が主ケーブルＢの周方向の少なくとも下半周部分に沿って往復移動可能としてある。
【００５６】
前記台車６７は図１３に示すように車輪６８を取り付けてある基板６９を上下に貫通する支持軸７０の上に搭載台７１を設置し、支持軸７０の外周に被せた押し具（例えばスプリング）７２で搭載台７１を上方に押し上げて、搭載台７１の上に搭載した加熱ヘッド３が図１４に示すように主ケーブルＢの外周面の塗膜Ｍに圧接できるようにしてある。
【００５７】
［作業足場］
図１１に示す作業足場５８は主ケーブルＢとその外周に装着された装着具５６とヘッド搭載部５７の外周に配置され、前記装着具５６に連結バー７３で連結されて保持されている。この作業足場５８は基本的には図８（ａ）（ｂ）に示す作業足場３４と同じ構成、機能であり、作業者Ｈが作業できるスペースを備えている。足場フレーム７４の外周には金網、板材等のカバーが張られ、足場フレーム７４の側方及び下方に落下防止ネット等が張られているが、それらは説明の便宜上、図示を省略してある。
【００５８】
［移動体］
図１１に示す移動体５９は、図８（ａ）（ｂ）に示す移動体３５と同様にハンドロープＧの上を移動可能である。この移動体５９は移動体フレーム７５の外周に金網、板材等のカバーが張られ、移動体フレーム７５の側方及び下方に落下防止ネット等が張られているが、これらも説明の便宜上、図示を省略してある。
【００５９】
図１１の移動体５９の内部には電源部２を搭載可能な電源搭載部７６を備えている。この電源搭載部７６は、移動体５９の屋根７７の四コーナーから内側に四本の支柱７８が突設され、その支柱７８間に受け板７９を取り付け、その上に高周波電源部２を収容可能な広さの空間部を設け、その空間部を電源搭載部７６としてある。
【００６０】
図１１の移動体５９は作業足場５８の上部に配置固定した二本のガイドバー８０にスライド可能に取り付けられている。さらに、前記四本の支柱７８の下端に図９（ａ）〜（ｃ）と同様に車輪４６が取り付けられ、それら車輪４６を二本のハンドロープＧの上に載置してある。移動体５９はロープやワイヤ等の係止具（図示しない）でウインチ、その他の牽引車（図示しない）に連結されており、その牽引車で牽引すると、車輪４６が両ハンドロープＧを軌条としてハンドロープＧの上を、その軸方向（主ケーブルＢの軸方向）に移動可能するようにしてある。
【００６１】
図１１の移動体５９は、移動体フレーム７５の下端を上下にスライド可能な昇降具８１に取り付けて、移動体５９の荷重でハンドロープＧが撓んでも、その変動分を吸収できるようにしてある。昇降具８１は各種機構とすることができるが、一例としては、下の大径パイプ内に上の細径パイプを差込み、細径パイプをスプリングで支持して、移動体５９の荷重をそのスプリングで支持する機構とすることができる。
【００６２】
［実施形態３の塗膜剥離装置の使用方法］
図１１の塗膜剥離装置を使用する場合は、図１１のヘッド搭載部５７に加熱ヘッド３を搭載し、移動体５９の電源搭載部に電源部２を搭載し、その加熱ヘッド３と電源部２を図４のように電源ケーブル、冷却パイプ等で連結して、電源部２から加熱ヘッド３に高周波電流を供給して主ケーブルＢのラッピングワイヤＬを誘導加熱して塗膜Ｍを軟化させて剥離することができる。このとき、加熱ヘッド３を剥離の所望箇所に宛がい、ラッピングワイヤＬの巻き方向と軸方向に移動させて、所望箇所に宛がって、それら箇所の塗膜Ｍを剥離することができる。加熱ヘッド３をラッピングワイヤＬの巻き方向と軸方向に移動させるときは、移動体５９をラッピングワイヤＬの軸方向に移動させる。
【００６３】
図１１の塗膜剥離装置ではヘッド搭載部５７を支持ケーブル６６に沿って移動させると、ヘッド搭載部５７の上の加熱ヘッド３が支持ケーブル６６の円弧方向に移動する。ヘッド搭載部５７は支持ケーブル６６の円弧方向に往復移動可能であるため、主ケーブルＢの下半周部分に接触してその下半周部分の塗膜Ｍを加熱し、軟化させることができる。ヘッド搭載部５７は作業者Ｈが手動で移動させることも、リモコン操作して動力で移動させることもできる。作業足場５８は装着具５６を主ケーブルＢから緩めて移動させ、所望位置で装着具５６を主ケーブルＢに固定することができる。
【産業上の利用可能性】
【００６４】
本発明の塗膜剥離方法は主ケーブルＢと同類形状の塗膜剥離にも利用できる。本発明の塗膜剥離装置は各種構造物の高所の塗膜剥離に利用することができる。
【符号の説明】
【００６５】
１    高周波誘導加熱装置
２    電源部（高周波電源部）
３    加熱ヘッド
４    ケース
５    誘導コイル
５ａ  （誘導コイルの）端部
６    高周波発振器
７    循環装置
８    （電源部の）冷却板
９    電源ケーブル
１０  ホース
１１  連結具（保護ホース）
１２  電源側連結具
１３  金属ブロック
１４  （金属ブロックの）凸部
１５  給電電極
１６  （給電電極の）冷媒通孔
１７  （給電電極の）止め孔
１８  漏洩防止パッキン
１９  ハンドル
２０  コイル側電極
２１  （コイル側電極の）冷媒通孔
２２  （コイル側電極の）止め孔
２３  ヘッド側連結具
２４  （ヘッド側連結具の）凹部
２６  センサ取付け具
２７  （センサ取付け具の）取付け孔
２８  温度センサ
２９  （金属ブロックの）固定孔
３０  止め具
３１  フレキシブル管
３３  塗膜剥離装置
３４  作業足場
３５  移動体
３６  電源搭載部
３７  足場フレーム
３８  カバー
３９  金網
４０  落下防止ネット
４１  移動フレーム
４２  カバー（養生カバー）
４３  （移動体の）天井
４４  支柱
４５  支持材
４６  車輪
４７  連結具
４８  フック
４９  ピン
５０  係止具
５１  牽引車
５２  ケージ
５３  駆動台車
５４  従動台車
５５  ケージ部材
５６  装着具
５７  ヘッド搭載部
５８  作業足場
５９  移動体
６０  巻き具
６１  ガイドバー
６２  リング
６３  連結部
６４  ネジ
６６  支持ケーブル
６７  台車
６８  車輪
６９  基板
７０  支持軸
７１  搭載台
７２  押し具（スプリング）
７３  連結バー
７４  足場フレーム
７５  移動体フレーム
７６  電源搭載部
７７  （移動体の）屋根
７８  支柱
７９  受け板
８０  ガイドバー
８１  昇降具
Ａ  主塔
Ｂ  主ケーブル（メインケーブル）
Ｃ  ケーブルバンド
ＣＴ  変流器
Ｄ  ハンガーロープ
Ｅ  補剛桁
Ｆ  ハンドロープ支柱
Ｇ  ハンドロープ
Ｈ  作業者
Ｊ  鋼線（素線）
Ｋ  下地材
Ｌ  ラッピングワイヤ
Ｍ  塗膜
Ｎ  凹部（窪み）
【要約】
【課題】  振動による騒音の発生も切削粉の飛散もなく、ラッピングワイヤの隣接巻線間の凹部の塗装も剥離し易くした。
【解決手段】  本発明の塗膜剥離方法は、誘導加熱装置の加熱ヘッドを吊り橋の主ケーブルにおけるラッピングワイヤの外周面の塗膜に宛がい、加熱ヘッドの誘導コイルによる誘導加熱でラッピングワイヤを加熱して、当該ラッピングワイヤの塗膜を軟化させ、軟化させた塗膜をシート状の塊又はその他の塊状で剥離する方法である。本発明の塗膜剥離装置は、電源部と加熱ヘッドを備えた誘導加熱装置と、作業足場と、移動体を備え、作業足場は少なくとも主ケーブルの下方及び側方を囲って配置し、移動体は電源部を搭載してあり、少なくとも吊り橋のハンドロープの外周を囲って作業足場の上に配置でき、ハンドロープを軌条として主ケーブルの軸方向に移動可能とした。
【選択図】  図１【図１】
0006000487.tif 000002
【図２】
0006000487.tif 000003
【図３】
0006000487.tif 000004
【図４】
0006000487.tif 000005
【図５】
0006000487.tif 000006
【図６】
0006000487.tif 000007
【図７】
0006000487.tif 000008
【図８】
0006000487.tif 000009
【図９】
0006000487.tif 000010
【図１０】
0006000487.tif 000011
【図１１】
0006000487.tif 000012
【図１２】
0006000487.tif 000013
【図１３】
0006000487.tif 000014
【図１４】
0006000487.tif 000015